(57)【要約】【課題】ユーザーが画像形成装置の動作条件を簡便に設定することが可能な画像形成装置を提供する。【解決手段】制御部は、画像形成装置の所定の動作条件を設定するための第一の画面と、第一の画面とは異なる第二の画面と、を必要に応じて表示するように操作表示部を制御し、ユーザーが簡易設定領域により動作条件を設定した場合に、制御部は、簡易設定領域により設定された動作条件に基づいて画像形成装置の動作を制御する。【選択図】図４
2014145822.tif 000002
【特許請求の範囲】
【請求項１】
ユーザーの操作を受け付け、ユーザーの操作により受け付けた情報を表示する操作表示部と、
少なくとも前記操作表示部を制御し、画像形成装置の所定の動作条件を設定するための第一の画面と、前記第一の画面とは異なる第二の画面と、を必要に応じて表示するように前記操作表示部を制御する制御部と、を有し、
前記第二の画面には、ユーザーが前記第一の画面による設定動作を経由することなく前記所定の動作条件を設定するための簡易設定領域が含まれ、
ユーザーが前記簡易設定領域により動作条件を設定した場合に、前記制御部は、前記簡易設定領域により設定された動作条件に基づいて画像形成装置の動作を制御する
ことを特徴とする画像形成装置。
【請求項２】
前記簡易設定領域は、複数の前記第二の画面に共通して設けられている
ことを特徴とする請求項１に記載の画像形成装置。
【請求項３】
前記所定の動作条件は、画像形成装置の動作条件の設定を所定時間経過後に自動で初期化する機能の動作条件である
ことを特徴とする請求項１又は２に記載の画像形成装置。
【請求項４】
前記簡易設定領域による動作条件の設定は、ユーザーが前記簡易設定領域を押下することか、又は、前記操作表示部に表示されるカーソルを前記簡易設定領域に所定時間停滞させることか、のいずれかによって行われる
ことを特徴とする請求項１〜３のいずれか一つに記載の画像形成装置。
【請求項５】
ユーザーは、前記簡易設定領域により複数の機能の動作条件を設定し、
前記制御部は、前記簡易設定領域により設定された複数の機能の動作条件に基づいて画像形成装置の動作を制御する
ことを特徴とする請求項１〜４のいずれか一つに記載の画像形成装置。
【請求項６】
前記第二の画面には、複数の前記簡易設定領域が含まれる
ことを特徴とする請求項１〜４のいずれか一つに記載の画像形成装置。
【請求項７】
前記簡易設定領域は、前記操作表示部においてカーソルを移動させることができる限界の領域に設けられている
ことを特徴とする請求項１〜６のいずれか一つに記載の画像形成装置。
【請求項８】
ユーザーが前記簡易設定領域により動作条件を設定した場合に、前記制御部は、ユーザーに対して所定の通知を行うように画像形成装置を制御する
ことを特徴とする請求項１〜７のいずれか一つに記載の画像形成装置。
【請求項９】
前記制御部は、所定時間の経過後に、ユーザーに対して所定の通知を行うように画像形成装置を制御する
ことを特徴とする請求項８に記載の画像形成装置。
【請求項１０】
ユーザーが前記簡易設定領域により動作条件を設定した場合であって、さらにユーザーが前記第一の画面による動作条件を設定した場合には、前記制御部は、前記第一の画面により設定された動作条件に基づいて画像形成装置を制御する
ことを特徴とする請求項１〜９のいずれか一つに記載の画像形成装置。
【発明の詳細な説明】
【技術分野】
【０００１】
本発明は、画像形成装置に関する。
【背景技術】
【０００２】
従来より、用紙に画像形成する複写機等の画像形成装置が知られている。画像形成装置は、操作ボタン等を含む操作画面を表示するとともに、操作画面に対応してユーザーからの操作入力を受け付ける操作パネルを備えている。ユーザーはこの操作パネルに表示された設定画面を通じて、画像形成装置の動作条件を設定できる。
【０００３】
ユーザーが設定する画像形成装置の動作条件としては、例えば、オートリセット機能の有効／無効等がある（下記特許文献１）。ここで「オートリセット機能」とは、ユーザーによる所定のジョブの指示が所定時間内に完結しない場合には、当該ジョブに関してすでに入力された設定等を破棄して初期化する機能である。
【先行技術文献】
【特許文献】
【０００４】
【特許文献１】特開２０１０−５０８０２号公報
【発明の概要】
【発明が解決しようとする課題】
【０００５】
しかし、上記のような、ユーザーが操作パネルに表示された設定画面を通じて、画像形成装置の動作条件を設定できる画像形成装置であっても、画像形成装置の動作条件を設定する場合には、一旦設定画面を表示する必要があるため、操作が煩雑であるという問題点があった。例えば、ユーザーが画像形成装置の動作条件を設定している途中で短時間席を離れる際に、設定途中の情報が初期化されることを防ぐためにオートリセット機能を一時的に無効にしたい場合であっても、一旦設定画面を表示してオートリセット機能の設定を変更してオートリセット機能を無効にする必要があった。
【０００６】
本発明はこのような課題に鑑みてなされたものであって、ユーザーが画像形成装置の動作条件を簡便に設定することが可能な画像形成装置を提供することを目的とする。
【課題を解決するための手段】
【０００７】
本発明は、以下の手段を提供する。すなわち、
ユーザーの操作を受け付け、ユーザーの操作により受け付けた情報を表示する操作表示部と、
少なくとも前記操作表示部を制御し、画像形成装置の所定の動作条件を設定するための第一の画面と、前記第一の画面とは異なる第二の画面と、を必要に応じて表示するように前記操作表示部を制御する制御部と、を有し、
前記第二の画面には、ユーザーが前記第一の画面による設定動作を経由することなく前記所定の動作条件を設定するための簡易設定領域が含まれ、
ユーザーが前記簡易設定領域により動作条件を設定した場合に、前記制御部は、前記簡易設定領域により設定された動作条件に基づいて画像形成装置の動作を制御する
ことを特徴とする画像形成装置。
【発明の効果】
【０００８】
本発明の画像形成装置によれば、ユーザーが画像形成装置の動作条件を簡便に設定することが可能となる。
【図面の簡単な説明】
【０００９】
【図１】本発明に係る画像形成装置１００を含む画像形成システム１の全体構成を示す図である。
【図２】本発明に係る画像形成装置１００を含む画像形成システム１の機能構成を示す図である。
【図３】本発明に係る画像形成装置１００の第１の実施例におけるオートリセット機能の設定画面（オートリセット機能の第一の画面）である。
【図４】本発明に係る画像形成装置１００の第１の実施例における操作表示部１６０のデフォルト画面（オートリセット機能についての第二の画面）である。
【図５】本発明に係る画像形成装置１００の第２の実施例における用紙に画像形成を行うコピー機能の設定画面（コピー機能の第一の画面）である。
【図６】本発明に係る画像形成装置１００の第２の実施例におけるコピー機能における出力機能の（コピー機能における出力機能の第一の画面）である。
【図７】本発明に係る画像形成装置１００の第４の実施例における二つの簡易設定領域Ｒ７０１およびＲ７０２を有する、コピー機能の設定画面である。
【図８】本発明に係る画像形成装置１００の第７の実施例における動作条件を設定する制御方法の一例を示すフローチャートである。
【発明を実施するための形態】
【００１０】
以下図面を参照して、本発明に係る画像形成装置の実施例を説明する。なお、本発明は、図示例に限定されるものではない。
【００１１】
（第１の実施例）
〔画像形成システムの構成〕
まず、図１及び図２を参照して、本発明に係る画像形成装置１００を含む画像形成システム１の装置構成を説明する。図１は、画像形成システム１の全体構成を示す図である。図２は、画像形成システム１の機能構成を示す図である。
画像形成システム１は、スキャナー機能、コピー機能、プリンター機能を備えた、いわゆるデジタル複合機である。なお、本実施例では、画像形成システム１を、Ｃ（シアン）Ｍ（マゼンタ）Ｙ（イエロー）Ｋ（ブラック）の４色によるカラー画像を形成する画像形成システムとして説明するが、これに限定されるものではなく、モノクロ画像を形成する画像形成システムとしてもよい。
【００１２】
図１に示すように、画像形成システム１は、画像形成装置１００と、大容量給紙装置４００と、後処理装置６００と、を備える。画像形成システム１は、大容量給紙装置４００又は画像形成装置１００に備わる給紙トレイより給紙された用紙に対して、画像形成装置１００にて画像形成及び定着（プリント）を行い、後処理装置６００で所定の後処理を施して用紙の出力（排紙）を行う。
【００１３】
画像形成装置１００は、給紙トレイ１１０と、プリント部１２０と、ＡＤＦ（Auto Document Feeder）１４０と、画像読取部１５０と、操作表示部１６０と、を備える。
給紙トレイ１１０は、３つのトレイを含み、斤量やサイズ等に基づいて識別された用紙をユーザーによって設定された種類ごとにそれぞれのトレイに収容する。なお、給紙トレイ１１０のトレイの数は、３として説明するが、これに限定されるものではない。給紙トレイ１１０に収容された用紙は、搬送ローラーによって搬送路を経由し、プリント部１２０に搬送される。
【００１４】
プリント部１２０は、入力されたジョブデータ（画像データ）に基づいて、電子写真方式の画像形成処理（プリント処理）を行う。プリント部１２０は、画像形成部１２１と、定着部１２２と、用紙搬送部１２３と、を備える。
【００１５】
用紙搬送部１２３は、大容量給紙装置４００又は給紙トレイ１１０から搬送された用紙を、複数の搬送ローラー、レジストローラー等を経る画像形成部１２１への用紙搬送経路上に用紙を搬送し、画像形成部１２１の二次転写ローラーへと搬送する。また、用紙搬送部１２３は、反転搬送部１２３ａを備える。反転搬送部１２３ａは、定着部１２２から排出された用紙を、反転ローラー等によりスイッチバックして表裏反転させ、排紙側又はレジストローラーに搬送する。
【００１６】
画像形成部１２１は、ＹＭＣＫそれぞれの画像形成部１２１Ｙ，１２１Ｍ，１２１Ｃ，１２１Ｋと、中間転写ベルト１２１ａと、を備える。イエローの画像形成部１２１Ｙは、像担持体としての感光体ドラム、帯電部、露光部（レーザ光源、ポリゴンミラー）、現像部、転写部、クリーナを有する。画像形成する場合に、画像形成部１２１Ｙは、レーザ光源とポリゴンミラーとにより、帯電部によって一様帯電されて回転している感光体ドラムの表面に露光して、感光体ドラムの面上に画像データに対応した静電潜像を形成する。そして、画像形成部１２１Ｙは、静電潜像を現像部により反転現像して、イエローのトナー像を感光体ドラム上に形成する。そして、感光体ドラム上に付着したトナーは、感光体ドラムが一定速度で回転されることにより、一次転写ローラーが配置された一次転写位置で中間転写ベルト１２１ａに転写される。中間転写ベルト１２１ａにトナーが転写された後、クリーナにより、感光体ドラムの表面の残留電荷や残留トナー等が除去され、除去されたトナー等はトナー回収箱へ回収される。
画像形成部１２１Ｙと同様に、画像形成部１２１Ｍ，１２１Ｃ，１２１Ｋは、それぞれ、感光体ドラム、帯電部、露光部（レーザ光源、ポリゴンミラー）、現像部、転写部、クリーナを備える。画像形成部１２１Ｍ，１２１Ｃ，１２１Ｋは、それぞれ、マゼンタ、シアン、ブラックのトナー像を中間転写ベルト１２１ａに形成する。
中間転写ベルト１２１ａに転写されたＹＭＣＫ色のトナー像は、二次転写ローラーが配置された二次転写位置で用紙に一括転写される。
【００１７】
定着部１２２は、ハロゲンヒータ又はＩＨ（Induction Heating：誘電加熱）により加熱される加熱ローラーと、加圧ローラーと、を備え、加熱ローラー及び加圧ローラーでトナー像が担持された用紙に対して加熱及び加圧を行うことにより定着処理を行う。
【００１８】
ＡＤＦ１４０は、原稿載置用のトレイに積載される原稿を、最上部から順に、画像読取部１５０に自動搬送する。
【００１９】
画像読取部１５０は、ＡＤＦ１４０によって搬送された原稿の読み取り処理を行う。具体的には、画像読取部１５０は、原稿を光源から出射した光で走査し、反射光をＣＣＤ（Charge Coupled Device）１５０ｂにて結像して光電変換する。そして、画像読取部１５０は、光電変換によって読み取った原稿から原稿画像データを取得する。
【００２０】
操作表示部１６０は、ＬＣＤ（Liquid Crystal Display）、タッチパネル、操作キー群等を備えて構成され、ユーザーからの指示を受け付け、その操作信号を制御部１８０に出力する。また、操作表示部１６０は、制御部１８０から入力される表示信号に従って、各種操作指示や設定情報を入力するための各種設定操作画面や各種処理結果等を表示する。
【００２１】
大容量給紙装置４００は、給紙トレイ４１０を備える。給紙トレイ４１０は、６つのトレイを含み、斤量やサイズ等に基づいて識別された用紙をユーザーによって設定された種類ごとにそれぞれのトレイに収容する。なお、大容量給紙装置４００のトレイの数は、６として説明するが、これ限定されるものではない。そして、給紙トレイ４１０に収容された用紙は、図示しない搬送ローラーによって画像形成装置１００に搬送される。
【００２２】
後処理装置６００は、画像形成装置１００より送出された用紙について、所定の後処理を施す。後処理装置６００が行う後処理は、例えば、ソート処理、裁断処理、穴あけ処理、ステープル処理、くるみ製本処理等である。なお、後処理装置６００は、排紙トレイを備えており、用紙を排紙トレイに排紙する。
【００２３】
図２は、画像形成システム１のブロック構成を示す図である。画像形成システム１は、画像形成装置１００と、大容量給紙装置４００と、後処理装置６００と、を備える。また、画像形成装置１００は、プリント部１２０と、画像読取部１５０と、操作表示部１６０と、通信制御部１７０と、制御部１８０と、を備える。
【００２４】
通信制御部１７０は、モデム（ＭＯＤＥＭ：Ｍｏｄｕｌａｔｏｒ／ＤＥＭｏｄｕｌａｔｏｒ）、ターミナルアダプター（ＴｅｒｍｉｎａｌＡｄａｐｔｅｒ）、ＬＡＮアダプターなどから構成され、大容量給紙装置４００や後処理装置６００等の外部機器と通信を行うための通信制御を行う。通信制御部１７０は、外部機器からジョブの予約内容に関する情報、具体的には、画像データやジョブ出力枚数に関する情報などを受信して、制御部１８０に出力する際などに使用される。
【００２５】
制御部１８０は、ＣＰＵ（Ｃｅｎｔｒａｌ Ｐｒｏｃｅｓｓｉｎｇ Ｕｎｉｔ）１８２、ＲＯＭ（Ｒｅａｄ ＯｎｌｙＭｅｍｏｒｙ）１８４およびＲＡＭ（Ｒａｎｄｏｍ Ａｃｃｅｓｓ Ｍｅｍｏｒｙ）１８６を有する。ＲＯＭ１８４は、画像形成装置１００を動作させるためのプログラムを保持する。ＲＡＭ１８６は、ＲＯＭ１８４から読み出したプログラムや操作表示部１６０等からの入力情報等の一時的な格納領域として用いられる。ＣＰＵ１８２は、ＲＯＭ１８４に保持されているプログラムを読み出してプログラムに応じた処理を実行する。例えば、画像形成動作を実行するためのプログラムを読み出してプロラグラムに応じた画像形成動作を実行する。
また、制御部１８０は、不図示の記憶部を有する。記憶部は、例えばＨＤＤ（Ｈａｒｄｄｉｓｋ ｄｒｉｖｅ）や半導体メモリーにより構成される。記憶部には、例えば、画像読取部１５０から読み込まれた画像データや、画像形成装置１００に接続された図示しないコンピューターからの文書・画像データ、操作表示部１６０に表示される操作画面データ等が記憶される。また、記憶部は、画像形成装置１００の各種の機能についての動作条件を記憶する。
【００２６】
〔画像形成システム１の動作条件の設定〕
以下に、本発明に係る画像形成装置１００を含む画像形成システム１の動作条件の設定の詳細について説明する。なお、ここでは、オートリセット機能の動作条件の設定を例として説明するが、本発明の対象となる動作条件はこれに限られない。また、設定の対象とする動作条件をユーザーが選択できることとしてもよい。なお、本発明におけるオートリセット機能とは、画像形成装置の動作条件の設定を所定時間経過後に自動で初期化する機能をいう。また、操作表示部１６０の操作は、タッチパネル方式により、ユーザーが直接画面に触れて操作することで行ってもよいし、画像形成装置１００にマウスを接続して、カーソルを操作することで行ってもよい。
【００２７】
本発明に係る画像形成装置１００の操作表示部１６０は、制御部１８０からの制御に基づいて、所定の動作条件を設定するための設定画面（第一の画面）、および、第一の画面とは異なる画面（第二の画面）を表示する。また、第二の画面には、ユーザーが第一の画面による所定の動作条件の設定動作を経由することなく当該所定の動作条件を設定するための簡易設定領域が設けられている。本実施例では、一例として、所定の動作条件とはオートリセット機能の動作条件であり、第一の画面はオートリセット機能の設定画面であり、第二の画面はデフォルト画面である場合について説明する。
【００２８】
図３は、オートリセット機能の設定画面（第一の画面）である。第一の画面は、オートリセット設定無効領域Ｒ３０１、およびオートリセット設定有効領域Ｒ３０２〜Ｒ３１０を有する。ユーザーは、これらのオートリセット設定領域を押下することで、オートリセット機能の動作条件を設定する。例えば、オートリセット機能を無効にする場合は、オートリセット機能無効領域Ｒ３０１を押下することで、オートリセット機能が無効に設定される。一方、オートリセットを有効にする場合は、オートリセット設定領域Ｒ３０２〜Ｒ３１０のうち、ユーザーが画像形成装置１００に対して何ら操作を実行しない時点からオートリセットが実行される時点までの時間に対応するものを押下することで、オートリセット機能が有効に設定される。
【００２９】
図４は、操作表示部１６０のデフォルト画面（オートリセット機能についての第二の画面）である。図３に示した第一の画面において、「ＯＫ」又は「キャンセル」を押下すると、デフォルト画面へ遷移する。ここで、オートリセット機能についての第二の画面は、図４のデフォルト画面に限られることはなく、例えば図５に示すコピー機能の設定画面（コピー機能の第一の画面）や図６に示すコピー機能における出力機能の設定画面もオートリセット機能についての第二の画面に該当する。
【００３０】
デフォルト画面は、情報表示領域Ｒ４０１と、設定画面遷移領域Ｒ４０２〜Ｒ４１１と、簡易設定領域Ｒ４１２と、を有する。
情報表示領域Ｒ４０１は、画像形成システム１に関する情報を表示する。例えば、入力されたジョブに関する情報、補給／廃棄部材（プリント部１２０におけるトナーや、後処理装置６００におけるパンチくずやステープル針等）に関する情報、大容量給紙装置４００の給紙トレイ１１０のそれぞれに収容されている用紙に関する情報（用紙のサイズ、名称、斤量、残量等）等が情報表示領域Ｒ４０１に表示される。
【００３１】
設定画面遷移領域Ｒ４０２〜Ｒ４１１は、所定の動作条件を設定するための設定画面（第一の画面）へ遷移するための領域である。例えば、「オートリセット設定」領域Ｒ４１１を押下することで図３に示すオートリセット機能の設定画面に遷移し、「コピー」領域Ｒ４０４を押下することで、図５に示すコピー機能の設定画面に遷移する。
【００３２】
簡易設定領域Ｒ４１２は、所定の指定された機能について簡便に画像形成装置１００の動作条件を設定するための領域であり、ユーザーは、簡易設定領域Ｒ４１２を操作することで、当該動作条件の設定画面（当該動作条件の第一の画面）による動作条件の設定動作を経由することなく、当該動作条件を設定することができる。本実施例では、簡易設定領域Ｒ４１２を操作する度にオートリセット機能の「有効（オートリセット実行時間１分）」および「無効」の二つの状態を交互に切り換える。他にも、「有効（オートリセット実行時間１分）」→「有効（オートリセット実行時間５分）」→「無効」のように、三つ以上の状態を順番に切り換える制御方法であってもよい。簡易設定領域Ｒ４１２により動作条件が未だ設定されていない初期状態の場合は、簡易設定領域Ｒ４１２を押下することで、オートリセット機能を「無効」に設定することとしてもよいし、「有効」に設定することとしてもよい。
【００３３】
簡易設定領域Ｒ４１２によって動作条件が設定された場合、制御部１８０は、簡易設定領域Ｒ４１２により設定された動作条件に基づいて画像形成装置１００の動作を制御する。例として、設定画面における設定と簡易設定領域Ｒ４１２による設定がそれぞれ独立したものとして設定される場合について説明する。オートリセット機能についての設定画面によりオートリセット機能が「有効」と設定されており、簡易設定領域Ｒ４１２によりオートリセット機能が「無効」と設定されている場合には、制御部１８０は、オートリセット機能が「無効」であるとして画像形成装置の動作を制御し、画像形成装置１００の動作条件の設定を所定時間経過しても初期化しない。なお、簡易設定領域Ｒ４１２により動作条件が未だ設定されていない初期状態の場合は、制御部１８０は、オートリセット機能の設定画面（第一の画面）によって設定された動作条件に基づいてオートリセット機能を制御する。
【００３４】
このように制御することで、ユーザーは、第一の画面による動作条件の設定動作を経由することなく、所定の動作条件を設定することができる。このため、例えばデフォルト画面のような頻繁に表示される画面に簡易設定領域Ｒ４１２を設けることで、動作条件の設定を簡便に行うことができる。例えば、ユーザーが画像形成装置１００の動作条件を設定している途中で短時間席を離れる際に、設定途中の情報が初期化されることを防ぐためにオートリセット機能を一時的に無効にしたい場合は、簡易設定領域Ｒ４１２により、簡便にオートリセット機能を無効に設定できる。
【００３５】
簡易設定領域Ｒ４１２による動作条件の設定の方法は、例えば、操作表示部１６０がタッチパネル方式である場合には、ユーザーが簡易設定領域Ｒ４１２をタッチすることによって行われる。また、タッチパネルやマウスを用いてカーソルによって操作表示部１６０を操作する場合は、簡易設定領域Ｒ４１２による動作条件の設定は、ユーザーがカーソルを簡易設定領域Ｒ４１２に移動して、簡易設定領域Ｒ４１２を押下することか、又は、カーソルを簡易設定領域Ｒ４１２に所定時間停滞させることか、のいずれかによって行われるようにしてもよい。さらに、カーソルを簡易設定領域Ｒ４１２によって操作表示部１６０を操作する場合には、カーソルで簡易設定領域Ｒ４１２を押下した後か又はカーソルを簡易設定領域Ｒ４１２に停滞させた後に簡易設定領域Ｒ４１２から離脱させることで、簡易設定領域Ｒ４１２による動作条件の設定を取り消すように制御してもよい。このように制御すれば、簡易設定領域Ｒ４１２の再度の操作が不要となるため、ユーザーはより簡便に動作条件を設定することができる。
【００３６】
本実施例では、設定画面における設定と簡易設定領域Ｒ４１２による設定とがそれぞれ独立したものとして設定される場合について説明したが、他にも、簡易設定領域Ｒ４１２による動作条件の設定の制御は、設定画面による動作条件の設定と共通した一つの設定を行うこととしてもよい。
【００３７】
なお、操作表示部１６０に表示される画面の中で、簡易設定領域Ｒ４１２が設けられる位置は特に限定されないが、操作表示部１６０に表示されるカーソルを移動させることができる限界の領域に設けられるのがより望ましい。例えば、カーソルを移動させることができる範囲の端や角が好ましい。このような位置に簡易設定領域Ｒ４１２を設けることで、ユーザーが容易にカーソルを簡易設定領域Ｒ４１２に移動させることができる。また、簡易設定領域Ｒ４１２は、図４に示したように、「設定切替」のようなボタン形状であってもよいし、ボタンのない操作表示部１６０上の単なる領域であってもよい。
【００３８】
（第２の実施例）
第一の実施例においては、オートリセット機能について設定できる簡易設定領域は、図４に示すデフォルト画面のように、オートリセット機能についての第二の画面のうち、特定の画面にのみ設けられていたが、本実施例においては、簡易設定領域は、複数の第二の画面に共通して設けられている。
【００３９】
図５は、用紙に画像形成を行うコピー機能の設定画面（コピー機能の第一の画面）である。また、図６は、コピー機能における出力機能の設定画面（コピー機能における出力機能の第一の画面）である。図４、図５、図６は、いずれもオートリセット機能についての第二の画面に該当する。これらの画面は、いずれも共通して画面右上部分に簡易設定領域Ｒ４１２、Ｒ５０１、Ｒ６０１を有している。簡易設定領域が設けられる画面はこれに限られず、他にも、スキャン機能の設定画面等の種々の画面に設けられていてもよい。
【００４０】
このように複数の画面に共通して簡易設定領域を設けることで、ユーザーが簡易設定領域により動作条件を設定できる場合がより多くなり、ユーザーの利便性がさらに向上する。
【００４１】
なお、簡易設定領域は、複数の画面に共通に設けられていればよく、簡易設定領域の位置や表示形態は複数の画面のそれぞれにおいて異なっていてもよいが、図４に示すデフォルト画面および図５に示すコピー機能についての設定画面のように、操作表示部１６０上の共通する位置に設けられることがより望ましい。このような位置に簡易設定領域を設けることで、ユーザーが簡易設定領域をより容易に認識することが可能となる。
【００４２】
（第３の実施例）
以上の実施例では、ユーザーは簡易設定領域により一つの動作条件（例えばオートリセット機能の動作条件）を設定し、制御部１８０は、簡易設定領域により設定されたその一つの動作条件に基づいて画像形成装置１００の動作を制御していたが、本実施例では、ユーザーは、簡易設定領域により複数の動作条件を設定し、制御部１８０は、簡易設定領域により設定された複数の動作条件に基づいて画像形成装置１００の動作を制御する。
【００４３】
例として、簡易設定領域によりオートリセット機能およびオートローパワー機能（所定時間操作表示部１６０が操作されなかった場合に、操作表示部の画面表示を消す機能）の動作条件を設定する場合を考える。この場合、オートリセット機能の設定画面（オートリセット機能の第一の画面）でなく、かつ、オートローパワー機能の設定画面（オートローパワー機能の第一の画面）でない画面（オートリセット機能およびオートローパワー機能についての第二の画面）に、簡易設定領域を設ける。
【００４４】
例えば、ユーザーは、図４に示すデフォルト画面の簡易設定領域Ｒ４１２によりオートリセット機能およびオートローパワー機能の動作条件を同時に設定し、制御部１８０は、設定された双方の動作条件に基づいて画像形成装置１００を制御する。例えば、オートリセット機能およびオートローパワー機能がともに「無効」となっている状態において、ユーザーがカーソルにより簡易設定領域Ｒ４１２を押下すると、オートリセット機能およびオートローパワー機能がともに「有効」となるように制御する。他にも、オートリセット機能が「有効」に、オートローパワー機能が「無効」に設定されている状態において、ユーザーがカーソルにより簡易設定領域Ｒ４１２を押下すると、オートリセット機能が「無効」に、オートローパワー機能が「有効」に設定されるように制御してもよい。
【００４５】
このように制御することで、一度の操作で複数の動作条件を設定することができ、ユーザーがより簡便に画像形成装置１００の動作条件を設定することが可能となる。
【００４６】
（第４の実施例）
以上の実施例では、図４に示したデフォルト画面や図５に示したコピー機能の設定画面のように、一つの画面に簡易設定領域がただ一つ設けられている場合を例として説明したが、本実施例においては、一つの画面に複数の簡易設定領域を設け、それぞれ異なる動作条件を設定できる。
【００４７】
例として、オートリセット機能およびオートローパワー機能の動作条件を設定するための簡易設定領域をそれぞれ設ける場合を考える。この場合、オートリセット機能の設定画面（オートリセット機能の第一の画面）でなく、かつ、オートローパワー機能の設定画面（オートローパワー機能の第一の画面）でない画面（オートリセット機能およびオートローパワー機能についての第二の画面）に、オートリセット機能の動作条件を設定するための簡易設定領域と、オートローパワー機能の動作条件を設定するための第二の簡易設定領域とをそれぞれ設ける。
【００４８】
図７は、二つの簡易設定領域Ｒ７０１およびＲ７０２を有する、コピー機能の設定画面である。これらの簡易設定領域Ｒ７０１およびＲ７０２によって、それぞれオートリセット機能およびオートローパワー機能の動作条件を設定することができる。また、デフォルト画面は、オートリセット機能およびオートローパワー機能についての第二の画面に該当する。
【００４９】
このように複数の簡易設定領域を設けることで、複数の異なる機能について、それぞれ簡便に設定することができる。例えば、オートリセット機能は有効に設定しつつ、オートローパワー機能は無効に設定することを、簡便に行うことができる。
【００５０】
（第５の実施例）
以上の実施例においては、簡易設定領域により動作条件が設定された場合、ユーザーへの通知は行っていなかったが、本実施例では、この場合、制御部１８０は、ユーザーへの通知を行うように画像形成装置１００を制御する。
具体的には、簡易設定領域（例えば、図４、５、６、７に示すＲ４１２、Ｒ５０１、Ｒ６０１、Ｒ７０１）によりオートリセット機能が無効に設定された場合に、操作表示部１６０上に「オートリセットを無効にしています」という旨のメッセージを表示する方法や、不図示のスピーカー等によってアラーム音等の音声を発する方法、簡易設定領域の表示形態（形状、模様、色彩等）を変更する方法、操作表示部１６０上に表示されるカーソルを移動させて操作している場合であれば、カーソルの表示形態を変更する方法、等が挙げられるが、これらに限定されることはない。
【００５１】
このように制御することで、動作条件が設定されたことをユーザーが認知することができる。このため、誤操作により簡易設定領域が操作され、意図せず動作条件が設定されたままになることを防ぐことができる。また、操作表示部１６０上にメッセージを表示したり、カーソルの表示形態を変化させたりすることによって、ユーザーが簡易設定領域を操作して一時的に動作条件を設定した場合に、設定を戻し忘れることを防ぐことができる。
【００５２】
（第６の実施例）
実施例５においては、ユーザーへの通知を行う時期は特に規定していなかったが、本実施例では、制御部１８０は、簡易設定領域により動作条件が設定されてから所定時間の経過後にユーザーへの通知を行うように画像形成装置１００を制御する。
本実施例に係る画像形成装置１００は、制御部１８０中に、時間を計測するタイマー（不図示）を有し、簡易設定領域により動作条件が設定されてから所定時間（例えば１０分）が経過した後もその動作条件が設定されている場合は、ユーザーへの通知を行う。さらに、簡易設定領域により動作条件が設定されてから所定時間以内に、簡易設定領域により動作条件が設定される前の動作条件に再び設定された場合には、通知を行わないこととしてもよい。
【００５３】
ユーザーへの通知の具体的な方法としては、簡易設定領域（例えば、図４、５、６、７に示すＲ４１２、Ｒ５０１、Ｒ６０１、Ｒ７０１）によりオートリセット機能が無効に設定された場合に、操作表示部１６０上に「オートリセットを無効にしています」という旨のメッセージを赤色等の目立つ色彩で表示する方法や、不図示のスピーカー等によってアラーム音等の音声を発する方法、簡易設定領域の表示形態（形状、模様、色彩等）を変更する方法、操作表示部１６０上に表示されるカーソルを移動させて操作している場合であれば、カーソルの表示形態を変更する方法、等が挙げられるが、これらに限定されることはない。
【００５４】
このように制御することで、簡易設定領域により動作条件を設定してから所定時間経過後も未だ動作条件が設定されたままになっていることを認知させることができる。このため、ユーザーが簡易設定領域により動作条件を設定したことを忘れた場合であっても、設定を元に戻し忘れることを防ぐことができる。
【００５５】
（第７の実施例）
以上の実施例においては、簡易設定領域により所定の動作条件が設定された後に、さらに、設定画面により動作条件が設定された場合については言及していなかったが、本実施例においては、上記のような場合には、制御部１８０は、設定画面により設定された動作条件に基づいて画像形成装置１００を制御する。
【００５６】
図８は、本実施例に係る画像形成装置１００において動作条件を設定する制御方法の一例を示すフローチャートである。
まず、制御部１８０は、簡易設定領域（例えば、図４、５、６、７に示すＲ４１２、Ｒ５０１、Ｒ６０１、Ｒ７０１、Ｒ７０２）により画像形成装置１００の動作条件が設定されたか否かを判断する（ステップＳ８０１）。ここで、簡易設定領域により動作条件が設定されていない場合には（ステップＳ８０１；Ｎｏ）、動作条件の設定画面により設定された動作条件に基づいて画像形成装置１００を制御する点は、以上に説明した実施例と同様である（ステップＳ８０５）。一方、簡易設定領域により動作条件が設定されている場合には（ステップＳ８０１；Ｙｅｓ）、制御部１８０は、簡易設定領域による動作条件の設定の後に、設定画面により動作条件が設定されたか否かを判断する（ステップＳ８０２）。
【００５７】
ステップＳ８０２において、簡易設定領域による動作条件の設定の後に、動作条件の設定画面により動作条件が設定されていない場合には（ステップＳ８０２；Ｎｏ）、制御部１８０は、簡易設定領域により設定された動作条件に基づいて画像形成装置１００を制御する（ステップＳ８０６）。一方、簡易設定領域による動作条件の設定の後に、動作条件の設定画面により動作条件が設定された場合には（ステップＳ８０２；Ｙｅｓ）、制御部１８０は、動作条件の設定画面によって設定された動作条件を、簡易設定領域により設定された動作条件として設定し（ステップＳ８０３）、動作条件の設定画面によって設定された動作条件に基づいて画像形成装置１００を制御する（ステップＳ８０４）。
【００５８】
なお、本実施例に係る画像形成装置１００において動作条件を設定する制御方法は様々な態様が考えられ、上述の制御方法に限定されることはない。
本実施例の効果について、例を挙げて説明する。オートリセット機能の設定画面によりオートリセット機能が有効と設定されており、簡易設定領域によっても有効と設定されている状況を考える。この状況において、ユーザーがオートリセット機能の設定画面によりオートリセット機能を無効に設定変更する場合がある。このとき、制御部１８０が、簡易設定領域によって設定された、「有効」の動作条件に基づいて画像形成装置１００を制御することとすると、設定画面によりオートリセット機能を無効に設定変更したユーザーの意図に反する動作となる場合がある。そこで本実施例のように、ユーザーの意図をより反映していると考えられる、設定画面により設定された「無効」の動作条件に基づいて画像形成装置を制御する。
【００５９】
以上に説明したように、本実施例のように制御することによって、画像形成装置１００がユーザーの意図に反する動作条件に基づいて動作することを防ぐことが可能となる。
【符号の説明】
【００６０】
１  画像形成システム
１００  画像形成装置
１２０  プリント部
１５０  画像読取部
１６０  操作表示部
１７０  通信制御部
１８０  制御部
４００  大容量給紙装置
６００  後処理装置
Ｒ４１２、Ｒ５０１、Ｒ６０１、Ｒ７０１、Ｒ７０２  簡易設定領域
【図１】
2014145822.tif 000003
【図２】
2014145822.tif 000004
【図３】
2014145822.tif 000005
【図４】
2014145822.tif 000006
【図５】
2014145822.tif 000007
【図６】
2014145822.tif 000008
【図７】
2014145822.tif 000009
【図８】
2014145822.tif 000010